(57)【要約】【課題】室温を計測する手段が簡単な構造で確実に固定できるようにする。【解決手段】内在する配線端子接続パネル６に臨む本体ケース１の前面側に開口した端子接続口７を介して導出され、室内空気通路の温度センサ装着部９に取り付けられた温度計測部１０にその先端部が連結されているセンサケーブル８を、本体ケース１に螺子止めなどして取り付けられて端子接続口７を開閉する蓋部材１２の係止片１２Ａと、切欠部１１の右側部分に設けた橋絡部１１Ｂとで挟持して端子接続口７の周部に係止するようにした。【選択図】  図２
2005188834.tif 000002
【特許請求の範囲】
【請求項１】
空気吸込口が開口して熱交換器および送風機が内在する本体ケースと、本体ケースの空気吸込口に対応する空気吸込口が開口して本体ケースに着脱可能に装着されるパネル部材とを備えた空気調和機の室内機において、送風機の電力ケーブなどが接続された配線端子接続パネルを本体ケース内に設け、その配線端子接続パネルが視認可能に本体ケースの配線端子接続パネルに臨む前面部分を端子接続口として開口し、送風機により空気吸込口から吸入した室内空気を熱交換器に導く室内空気通路に先端部の温度計側部が配置された検温信号線を、端子接続口を介して本体ケース内から延出し、端子接続口を封止した蓋部材により端子接続口の周部に係止したことを特徴とする空気調和機の室内機。
【請求項２】
検温信号線が本体ケースと、本体ケースの端子接続口を封止した蓋部材とで挟持されて端子接続口の周部に係止されたことを特徴とする請求項１記載の空気調和機の室内機。
【発明の詳細な説明】
【技術分野】
【０００１】
本発明は、室外に設置される室外機と共同して室内空気の温度調節などに供される空気調和機の室内機に関するものである。
【背景技術】
【０００２】
この種の室内機においては、通常は室温を検出し、その温度に基づいて空調能力が制御される。そのため、例えば図３に示したように電装箱２０の電装箱本体２１とアーム部材２２とを一体に形成し、そのアーム部材２２とは別体に形成したホルダ２３によりセンサケーブル８を保持して、センサ保持部２４に保持したセンサ本体２５を空気通路の所定の部位に設置するようにした室内機が周知である（例えば、特許文献１参照。）。なお、３は熱交換器、３Ａは伝熱管である。
【特許文献１】特開平１１−１０１４７２号
【発明の開示】
【発明が解決しようとする課題】
【０００３】
しかし、特許文献１に提案された空気調和機の室内機においては、温度計測手段を支持固定する部材の構成が複雑であり、コストアップに繋がっていたので、コストアップとならない簡単な構造で確実に固定できるようにする必要があり、それが解決すべき課題となっていた。
【課題を解決するための手段】
【０００４】
本発明は上記従来技術の課題を解決するため、空気吸込口が開口して熱交換器および送風機が内在する本体ケースと、本体ケースの空気吸込口に対応する空気吸込口が開口して本体ケースに着脱可能に装着されるパネル部材とを備えた空気調和機の室内機において、送風機の電力ケーブなどが接続された配線端子接続パネルを本体ケース内に設け、その配線端子接続パネルが視認可能に本体ケースの配線端子接続パネルに臨む前面部分を端子接続口として開口し、送風機により空気吸込口から吸入した室内空気を熱交換器に導く室内空気通路に先端部の温度計側部が配置された検温信号線を、端子接続口を介して本体ケース内から延出し、端子接続口を封止した蓋部材により端子接続口の周部に係止することを主要な特徴とするものである。
【発明の効果】
【０００５】
本発明によれば、コストアップとならない簡単な構成であるにも拘らず、室温検出手段を所定の部位に確実に装着することができる。
【発明を実施するための最良の形態】
【０００６】
空気吸込口が開口して熱交換器および送風機が内在する本体ケースと、本体ケースの空気吸込口に対応する空気吸込口が開口して本体ケースに着脱可能に装着されるパネル部材とを備えた空気調和機の室内機において、送風機の電力ケーブなどが接続された配線端子接続パネルを本体ケース内に設け、その配線端子接続パネルが視認可能に本体ケースの配線端子接続パネルに臨む前面部分を端子接続口として開口し、送風機により空気吸込口から吸入した室内空気を熱交換器に導く室内空気通路に先端部の温度計側部が配置された検温信号線を、端子接続口を介して本体ケース内から延出し、本体ケースと、端子接続口を封止した蓋部材とで挟持して端子接続口の周部に係止するようにした空気調和機の室内機。
【実施例１】
【０００７】
本発明の一実施例を、図１および図２に基づいて説明する。なお、理解を容易にするため、これらの図においても前記図３において説明した部分と同様の機能を有する部分には、同一の符号を付した。
【０００８】
本発明の室内機１００においては、図１（Ｂ）に示すように本体ケース１の内部には送風機２と熱交換器３とが備えられている。そして、熱交換器３はその伝熱管３Ａと伝熱フィンとが送風機２の前方と上方に位置するように逆Ｖ字状に配置されて、熱交換器３を流れる冷媒と、室内から取り込んだ空気との熱交換効率を高められている。
【０００９】
また、合成樹脂からなる本体ケース１の熱交換器３に臨む前面と上面には空気吸込口４が開口すると共に、下部側には空気吹出口５が開口可能に設けられ、室内機１００と共に空気調和機を構成する図示しない室外機から供給されて、熱交換器３の伝熱管３Ａ内を流れる冷媒と熱交換して冷却・加熱などした空気を室内に戻して空調に供することができるようになっている。
【００１０】
また、図２に示すように本体ケース１の内部には送風機２の電力ケーブル・制御ケーブルなどが接続される配線端子接続パネル６が設けられ、本体ケース１の配線端子接続パネル６に臨む前面側が端子接続口７として開口している。そして、端子接続口７の周囲には、段部７Ａが設けられている。また、その段部７Ａには、螺子穴７Ｂが設けられている。
【００１１】
また、端子接続口７を介して、検温信号線としてのセンサケーブル８が導出され、温度センサ装着部９に取り付けられて温度計測部１０を構成するサーミスタにその先端部が連結され、検出温度を信号として図示しない制御部に送信できるように構成されている。
【００１２】
なお、温度センサ装着部９では本体ケース１を構成する樹脂にスリット状の開口が設けられ、送風機２により吸い込まれて熱交換器３に至る空気が、温度センサ装着部９に取り付けられた温度計測部１０に触れながら熱交換器３に流れるように構成されている。
【００１３】
また、本体ケース１の端子接続口７と温度センサ装着部９との間には、狭隘部１１Ａがセンサケーブル８の直径寸法より多少狭く、他の部分はセンサケーブル８の直径寸法より広く離間した切欠部１１が設けられ、その部分にセンサケーブル８を押し込んで狭隘部１１Ａにより係止することができるように構成されている。
【００１４】
また、狭隘部１１Ａの図面右側の切欠部１１には橋絡部１１Ｂが設けられている。この橋絡部１１Ｂは、近傍の本体ケース１よりセンサケーブル８の直径寸法程度低く設けられて、その部分にセンサケーブル８を載せることができようになっている。
【００１５】
蓋部材１２は図面左方向に突設された係止片１２Ａと螺子穴１２Ｂとを備え、周辺部を端子接続口７の段部７Ａに載せたときに、螺子穴１２Ｂが本体ケース１の螺子穴７Ｂに臨み、螺子１３を用いて本体ケース１に取り付けると、端子接続口７の封止ができ、且つ、係止片１２Ａが切欠部１１の橋絡部１１Ｂ側に嵌合され、センサケーブル８が係止片１２Ａと橋絡部１１Ｂとで挟持されて、切欠部１１から抜け出ないようになっている。
【００１６】
上記のように構成された本体ケース１には、その前面部と上面部を覆うように合成樹脂製の逆Ｌ字状グリル部材１４が着脱自在に装着されている。そして、この逆Ｌ字状グリル部材１４の内面側にはフィルタ１５が着脱可能に装着され、且つ、本体ケース１の空気吸込口４に臨む前面部分と上面部分には空気通過穴１６が開口している。
【００１７】
上記構成の室内機１００においては、先端部に温度計測部１０を有するセンサケーブル８は切欠部１１の狭隘部１１Ａにより支持され、且つ、係止片１２Ａと橋絡部１１Ｂとで挟持される。そのため、コストアップを招くことのない簡単な構造であるにも拘らず、フィルタ１５の清掃などで逆Ｌ字状グリル部材１４を外す際にも、蓋部材１２が取り付けられているとセンサケーブル８は切欠部１１から外し難く、温度計測部１０が温度センサ装着部９から外され、予期しない部位に放置されたまま逆Ｌ字状グリル部材１４が本体ケース１に装着され、温度計測部１０による検温操作が正常に行われず、したがって正常な空調ができなくなる、などと云った不都合は生じ得ない。
【００１８】
なお、本発明は上記実施形態に限定されるものではないので、特許請求の範囲に記載の趣旨から逸脱しない範囲で各種の変形実施が可能である。
【００１９】
例えば、端子接続口７を開閉可能に封止する蓋部材１２は、本体ケース１との凹凸嵌合により着脱されて端子接続口７の開閉を行うものであっても良いし、係止片１２Ａが設けられていない図面右端に設けるヒンジ機構により本体ケース１と一体化し、図面左側の係止片１２Ａ側が回動して端子接続口７を開閉するように構成することも可能である。
【００２０】
また、センサケーブル８を押えるために切欠部１１に設ける狭隘部１１Ａは、温度センサ装着部９の近く、すなわち切欠部１１の左端に設けるようにしても良い。
【００２１】
また、切欠部１１に設けた橋絡部１１Ｂに代えて、切欠部１１に本体ケース１の一方から他方に延びる舌片状部材を設けるようにしても良い。
【図面の簡単な説明】
【００２２】
【図１】本発明室内機の説明図であり、（Ａ）は外観の説明図、（Ｂ）は内部の説明図である。
【図２】本発明室内機の要部の説明図であり、（Ａ）は端子接続口が開口しているときの説明図、（Ｂ）は端子接続口が蓋部材により封止されているときの説明図である。
【図３】従来技術の説明図である。
【符号の説明】
【００２３】
１  本体部
２  送風機
３  熱交換器
４  空気吸込口
５  空気吹出口
６  配線端子接続パネル
７  端子接続口
７Ａ  段部
７Ｂ  螺子穴
８  センサケーブル
９  温度センサ装着部
１０  温度計測部
１１  切欠部
１１Ａ  狭隘部
１１Ｂ  橋絡部
１２  蓋部材
１２Ａ  係止片
１２Ｂ  螺子穴
１３  螺子
１４  逆L字状グリル部材
１５  フィルタ
１６  空気通過孔
２０  電装箱
２１  電装箱本体
２２  アーム部材
２３  ホルダ
２４  センサ保持部
２５  センサ本体
１００  室内機
【図１】
2005188834.tif 000003
【図２】
2005188834.tif 000004
【図３】
2005188834.tif 000005